(57)【要約】【課題】プロジェクタに対してランプユニットを傾けて取り付ける構造であっても、スムーズにランプユニットを取り付けることができるプロジェクタを提供する。【解決手段】ランプユニット１０をランプユニット収納部２０に収納する際に、カバーガラスホルダ３０に保持板４２の先端部４２Ｔが当たって引っかかることがないように、カバーガラスホルダ３０の保持板４２に対向する面３５を、突起のない形状、具体的には曲面状や傾斜平面状に加工する。これにより、保持板４２の先端部４２Ｔがカバーガラスホルダ３０に当たっても、引っかかることなく通過するので、ランプユニット１０をランプユニット収納部２０にスムーズに収納できる。【選択図】図６
2007272038.tif 000002
【特許請求の範囲】
【請求項１】
ランプユニットから放出された光を用いて画像をスクリーンに投影するプロジェクタにおいて、
前記ランプユニットが着脱自在で、且つこのランプユニットを一定角度傾斜させた状態で収納するランプユニット収納部と、
先端部が前記ランプユニットの離脱方向に延出し、前記ランプユニットの前面に形成された光線投射口に配置されたカバーガラスを固定しているカバーガラスホルダに当接して、前記ランプユニットを保持する保持板と、を備え、
前記カバーガラスホルダは、前記ランプユニットの装着時に前記保持板の先端部と対向する面が、前記保持板側に凸となる曲面状に加工され、
前記保持板は、先端付近が曲面状に曲げ加工されたプロジェクタ。
【請求項２】
ランプユニットから放出された光を用いて画像をスクリーンに投影するプロジェクタにおいて、
前記ランプユニットが着脱自在で、且つこのランプユニットを一定角度傾斜させた状態で収納するランプユニット収納部と、
先端部が前記ランプユニットの離脱方向に延出し、前記ランプユニットの前面に形成された光線投射口に配置されたカバーガラスを固定しているカバーガラスホルダに当接して、前記ランプユニットを保持する保持板と、を備え、
前記カバーガラスホルダは、前記ランプユニットの装着時に前記保持板の先端部と対向する面が、前記保持板側に凸となる曲面状に加工されたプロジェクタ。
【請求項３】
ランプユニットから放出された光を用いて画像をスクリーンに投影するプロジェクタにおいて、
前記ランプユニットが着脱自在で、且つこのランプユニットを一定角度傾斜させた状態で収納するランプユニット収納部と、
先端部が前記ランプユニットの離脱方向に延出し、前記ランプユニットの前面に形成された光線投射口に配置されたカバーガラスを固定しているカバーガラスホルダに当接して、前記ランプユニットを保持する保持板と、を備え、
前記カバーガラスホルダは、前記ランプユニットの装着時に前記保持板の先端部と対向する面を前記ランプユニット側に傾斜させている傾斜平面状に加工されたプロジェクタ。
【請求項４】
前記保持板は、先端付近が曲面状に曲げ加工された請求項３に記載のプロジェクタ。
【発明の詳細な説明】
【技術分野】
【０００１】
この発明は、プロジェクタのランプユニットの脱着構造に関する。
【背景技術】
【０００２】
ディジタル・マイクロミラー・デバイス（ＤＭＤ）や、液晶表示デバイス等の画像表示デバイスに対してランプから光を照射して、この画像表示デバイスに表示させた画像をスクリーンに投影する方式のプロジェクタが普及しつつある。このようなプロジェクタでは、光源として使用するランプの光量が落ちたり、何らかの理由でランプが破損したりすることから、ランプユニットを簡単に交換できる構成を採用している（例えば、特許文献１，２参照。）。
【特許文献１】特開２００１−９２００９号公報
【特許文献２】特開２００４−２６４３８７号公報
【発明の開示】
【発明が解決しようとする課題】
【０００３】
従来のプロジェクタでは、小型化を図るために、ランプユニットの光軸を傾斜させた状態でランプユニット収納部に収納するように構成することも多い。しかし、このような構成であると、ランプユニットをランプユニット収納部に収納する際にも、ランプユニットを傾斜させた状態にしなければならず、ユーザにとっては非常に困難な作業であった。また、ユーザが、ランプユニットをランプユニット収納部に収納する際には、ランプユニット収納部の壁面や他の部品にランプユニットが当たってしまい、ランプユニットをランプユニット収納部にスムーズに収納できないことがあるという問題があった。
【０００４】
そこで、本発明は、プロジェクタに対してランプユニットを傾斜させて収納する構造であっても、ランプユニットをスムーズに収納することができるプロジェクタを提供することを目的とする。
【課題を解決するための手段】
【０００５】
この発明は、上記の課題を解決するための手段として、以下の構成を備えている。
【０００６】
（１）ランプユニットから放出された光を用いて画像をスクリーンに投影するプロジェクタにおいて、
前記ランプユニットが着脱自在で、且つこのランプユニットを一定角度傾斜させた状態で収納するランプユニット収納部と、
先端部が前記ランプユニットの離脱方向に延出し、前記ランプユニットの前面に形成された光線投射口に配置されたカバーガラスを固定しているカバーガラスホルダに当接して、前記ランプユニットを保持する保持板と、を備え、
前記カバーガラスホルダは、前記ランプユニットの装着時に前記保持板の先端部と対向する面が、前記保持板側に凸となる曲面状に加工されたことを特徴とする。
【０００７】
この構成においては、プロジェクタのランプユニットは、一定角度傾斜させた状態でランプユニット収納部に収納され、着脱自在な構造である。また、ランプユニットがランプユニット収納部に収納された状態では、先端部がランプユニットの離脱方向に延出した保持板が、カバーガラスホルダに当接してランプユニットを保持する。さらに、カバーガラスホルダは、ランプユニットの装着時に前記保持板の先端部と対向する面が、保持板側に凸となる曲面状に加工されている。したがって、ランプユニットをランプユニット収納部に装着する際に、保持板の先端部がカバーガラスホルダに当たっても、保持板の先端部がカバーガラスホルダの曲面状に加工された面上で引っかかることがなく、通過させることができる。これにより、ランプユニットをランプユニット収納部へスムーズに取り付けることができる。
【０００８】
（２）ランプユニットから放出された光を用いて画像をスクリーンに投影するプロジェクタにおいて、
前記ランプユニットが着脱自在で、且つこのランプユニットを一定角度傾斜させた状態で収納するランプユニット収納部と、
先端部が前記ランプユニットの離脱方向に延出し、前記ランプユニットの前面に形成された光線投射口に配置されたカバーガラスを固定しているカバーガラスホルダに当接して、前記ランプユニットを保持する保持板と、を備え、
前記カバーガラスホルダは、前記ランプユニットの装着時に前記保持板の先端部と対向する面を前記ランプユニット側に傾斜させている傾斜平面状に加工されたことを特徴とする。
【０００９】
この構成においては、プロジェクタのランプユニットは、一定角度傾斜させた状態でランプユニット収納部に収納され、着脱可能な構造である。また、ランプユニットがランプユニット収納部に収納された状態では、先端部がランプユニットの離脱方向に延出した保持板が、カバーガラスホルダに当接してランプユニットを保持する。さらに、カバーガラスホルダをは、ランプユニットの装着時に前記保持板の先端部と対向する面をランプユニット側に傾斜させた傾斜平面状に加工されている。したがって、ランプユニットをランプユニット収納部に装着する際に、保持板の先端部がカバーガラスホルダに当たっても、保持板の先端部がカバーガラスホルダの傾斜平面状に加工された面上で引っかかることがなく、通過させることができる。これにより、ランプユニットをランプユニット収納部へスムーズに取り付けることができる。
【００１０】
（３）前記保持板は、先端付近が曲面状に曲げ加工されたことを特徴とする。
【００１１】
この構成においては、保持板の先端付近は曲面状に曲げ加工されている。したがって、ランプユニットをランプユニット収納部に装着する際に、曲面状または傾斜平面状に加工されたカバーガラスホルダに対して、先端付近が曲面状に曲げ加工された保持板が当たるので、保持板の先端部がカバーガラスホルダ上に突き立って引っかかるのを防止できる。これにより、ランプユニットをランプユニット収納部へさらにスムーズに取り付けることができる。
【発明の効果】
【００１２】
本発明によれば、ランプユニットをランプユニット収納部に収納する際に、カバーガラスホルダに保持板の先端部が当たって引っかかることがないように、カバーガラスホルダの保持板に対向する面を、突起のない形状、具体的には曲面状や傾斜平面状に加工する。これにより、保持板の先端部がカバーガラスホルダに当たっても引っかかることなく通過するので、ランプユニットをランプユニット収納部にスムーズに収納できる。
【発明を実施するための最良の形態】
【００１３】
図１は、プロジェクタ内部の概略構造を示す斜視図である。プロジェクタ１は、ランプユニット１０、画像投射ユニット４０、電源基板５０，５１、制御基板５２、メインファン６０、及びメインファン７０を備えている。これらは、それぞれ筐体８０に取り付けられている。
【００１４】
ランプユニット１０は、画像投射用の光を投射する。また、ランプユニット１０は、ランプユニット収納部２０に収納されており、プロジェクタ１の本体底面８５側（図１に示す矢印方向）から脱着自在である。
【００１５】
画像投射ユニット４０は、ＤＭＤ等の画像表示デバイスやカラーホイール（不図示）を備えている。画像投射ユニット４０は、画像表示デバイスにて形成した画像を、ランプユニット１０からの光を用いて投射レンズ４１から投射する。
【００１６】
図２は、ランプユニットの概略の構成を示す側面図及び正面図である。図３は、カバーガラスホルダの概観を示す斜視図である。
【００１７】
図２に示すように、ランプユニット１０は、ランプバルブ１２とリフレクタ１３を備えたランプ１１、フロントカバー１４、リアカバー１５、及びランプバルブ１２に電力を供給する不図示のケーブル等を備えている。フロントカバー１４は、ランプ１１の前側に取り付けられている。リアカバー１５は、ランプ１１の後ろ側に取り付けられている。
【００１８】
フロントカバー１４には、プロジェクタ１のランプユニット収納部２０に収納したランプユニット１０を固定するための固定用突起１４２，１４３が形成されている。また、フロントカバー１４には、その前面中央部に、ランプバルブ１２からの光を投射する投射口１４１が形成されている。さらに、この投射口１４１の前側にカバーガラス２１が取り付けられている。加えて、カバーガラス２１の前側にカバーガラスホルダ３０が取り付けられている。このカバーガラスホルダ３０は、フロントカバー１４とともにカバーガラス２１を保持する。また、カバーガラスホルダ３０は、ピン１４４，１４５とネジ３０１，３０２によってフロントカバー１４に固定されている。
【００１９】
図３に示すように、カバーガラスホルダ３０は、１枚の薄い金属板を凸型形状に折り曲げ加工したものであり、平面３１〜３４と、曲面３５から成る。面３３３の中央には孔３６が形成され、この孔の周囲にカバーガラス２１の辺を保持するつば３７〜４０が形成されている。また、カバーガラスホルダ３０をフロントカバー１４の前面に、ピン１４４，１４５とネジ３０１，３０２により固定するための孔３１１，３１２，３４１，３４２が形成されている。
【００２０】
図４は、ランプユニット収納部にランプユニットを収納した状態及びランプユニットを取り外した状態を示す図である。
【００２１】
プロジェクタ１は、プロジェクタ１の本体底面８５側から、ランプユニット収納部２０に対してランプユニット１０を脱着する構造である。プロジェクタ１の底面８５には、通常、ランプユニット収納部２０を塞ぐためにカバー８６が取り付けられている。ユーザが、このカバー８６を取り外すと、図４（Ａ）に示すように、ランプユニット収納部２０が現れる。また、ランプユニット収納部２０からランプユニット１０を取り外すと、図４（Ｂ）に示すように、ランプユニット収納部２０の内部は空洞になる。
【００２２】
ランプ１１が破損したり光量が落ちたりした場合に、ユーザは、カバー８６を取り外し、固定用突起１４２，１４３等を固定するネジ１６〜１８を取り外すことで、ランプユニット１０をランプユニット収納部２０から取り外すことができる。
【００２３】
図５は、ランプユニット収納部にランプユニットが収納された状態を示す側面透視図である。図５に示すように、ランプユニット収納部２０にランプユニット１０が収納されると、ランプユニット１０の前面に取り付けたカバーガラスホルダ３０の面３３が、ホイールカバー４２と当接する。また、カバーガラスホルダ３０の面３３は、ホイールカバー４２により押された状態になる。ランプユニット１０の光軸１０Ｊは、ランプユニット収納部２０に収納された状態では、プロジェクタ１の本体底面８５に対して、一例として約４度傾斜した状態となり、ランプユニット１０の前面がやや下向きになる。ホイールカバー４２は、ランプユニット１０の離脱方向に延出しており、本体底面８５の垂線に対して約４度傾斜している。
【００２４】
図６は、ランプユニット収納部２０にランプユニットを収納途中の状態を示す側面透視図、及びホイールカバーの先端部とカバーガラスホルダとの当接状態を示す拡大図である。本発明では、図６に示すように、カバーガラスホルダ３０の面３５を、ホイールカバー４２に対向する側に凸となるように曲面状に形成している。そのため、ユーザが、ランプユニット収納部２０にランプユニット１０を収納する際に、カバーガラスホルダ３０にホイールカバー４２の先端部４２Ｔが当たったとしても、先端部４２Ｔはカバーガラスホルダ３０の面３５に引っかかることなく通過する。したがって、ランプユニット収納部２０にランプユニット１０をスムーズに収納することができる。
【００２５】
また、カバーガラスホルダ３０の形状やホイールカバー４２の先端部の形状を、別の形状にすることも可能である。図７は、図６とは異なる形状のホイールカバー及びカバーガラスホルダの拡大図である。例えば、図７（Ａ）に示すカバーガラスホルダ３０Ｆのように、面３５を曲面とせずに、面３３と面３４を接続する傾斜平面３５Ｆとして形成すると良い。これにより、ユーザが、ランプユニット収納部２０にランプユニット１０を収納する際には、カバーガラスホルダ３０にホイールカバー４２の先端部４２Ｔが当たったとしても、先端部４２Ｔはカバーガラスホルダ３０の面３５Ｆ上で引っかかることなく通過する。したがって、ユーザは、ランプユニット収納部２０にランプユニット１０をスムーズに収納できる。
【００２６】
また、図７（Ｂ），図７（Ｃ）に示すホイールカバー４２Ｒのように、先端部４２ＴＲに対して、カバーガラスホルダ３０側に凸となるように曲面状に曲げ加工を施すようにしても良い。
【００２７】
これにより、ユーザが、ランプユニット収納部２０にランプユニット１０を収納する際に、カバーガラスホルダ３０またはカバーガラスホルダ３０Ｆにホイールカバー４２Ｒの先端部４２ＴＲが当たったとしても、先端部４２Ｔがカバーガラスホルダ３０の面３５Ｆ上で引っかかることがなくスムーズに通過する。したがって、ユーザは、ランプユニット収納部２０にランプユニット１０を容易に収納できる。
【００２８】
以上のように、本発明では、ランプユニット１０の前面に取り付けるカバーガラスホルダやホイールカバーを、曲面状や傾斜面状に形成しているので、ランプユニット１０をプロジェクタ１の底面８５に対して傾斜させた状態でランプユニット収納部２０に収納する構成であっても、ホイールカバー４２の先端部４２Ｔがカバーガラスホルダに引っかかることなく、ランプユニット１０を収納できる。したがって、ユーザは、ランプユニット１０をスムーズに交換できる。
【図面の簡単な説明】
【００２９】
【図１】プロジェクタ内部の概略構造を示す斜視図である。
【図２】ランプユニットの概略の構成を示す側面図及び正面図である。
【図３】カバーガラスホルダの概観を示す斜視図である。
【図４】ランプユニット収納部にランプユニットを収納した状態及びランプユニットを取り外した状態を示す図である。
【図５】ランプユニット収納部にランプユニットが収納された状態を示す側面透視図である。
【図６】ランプユニット収納部２０にランプユニットを収納途中の状態を示す側面透視図、及びホイールカバーの先端部とカバーガラスホルダとの当接状態を示す拡大図である。
【図７】図６とは異なる形状のホイールカバー及びカバーガラスホルダの拡大図である。
【符号の説明】
【００３０】
１−プロジェクタ    １０−ランプユニット    ２０−ランプユニット収納部    ２１−カバーガラス    ３０，３０Ｆ−カバーガラスホルダ    ４０−画像投射ユニット    ４２，４２Ｒ−ホイールカバー（保持板）    ４２Ｔ，４２ＴＲ−先端部    ８０−筐体    ８５−底面    ８６−カバー
【図１】
2007272038.tif 000003
【図２】
2007272038.tif 000004
【図３】
2007272038.tif 000005
【図４】
2007272038.tif 000006
【図５】
2007272038.tif 000007
【図６】
2007272038.tif 000008
【図７】
2007272038.tif 000009